(57)【特許請求の範囲】
【請求項１】
アッパーフレームと、このアッパーフレームの前部上方に設けられて運転室の床面を構成するフロアプレートと、このフロアプレートの上方に設けられた第一油圧機器と、前記フロアプレートの後方で前記アッパーフレーム上に設けられた第二油圧機器と、これら第一油圧機器と第二油圧機器とを連結する複数の油圧配管とを有する作業機械に設けられ、前記各油圧配管の途中部に圧力センサを取り付けるための配管用具であって、
特定方向に延びる本体部と、
この本体部に設けられた複数の圧力センサと、
前記本体部に設けられて前記フロアプレートに取り付けられることにより、前記本体部を前記フロアプレートから垂下した姿勢、かつ、前記特定方向がフロアプレートに略平行した姿勢にする取付部とを備え、
前記本体部には、前記取付部がフロアプレートに取り付けられた状態で、前記第一油圧機器から延びる前記油圧配管としての複数の第一配管をそれぞれ前方に向けながら前記特定方向に並べて接続可能な複数の第一接続部と、前記第二油圧機器から延びる前記油圧配管としての複数の第二配管をそれぞれ後方に向けながら前記特定方向に並べて接続可能な複数の第二接続部と、前記各圧力センサをそれぞれ下方に向けながら前記特定方向に並べて接続可能な第三接続部と、これら第一接続部、第二接続部及び第三接続部を一組とする各組について当該第一接続部、第二接続部及び第三接続部にそれぞれ接続された前記第一配管、第二配管及び圧力センサを連通可能な連通流路とが形成され、前記圧力センサは、この連通流路を介して各第一配管及び第二配管内を流通する作動油の圧力を検出することを特徴とする作業機械の配管用具。
【請求項２】
前記本体部は、前記フロアプレートに取り付けられた状態において、前方に面して前記各第一接続部が設けられた前面と、後方に面して前記各第二接続部が設けられた後面と、下方に面して前記各第三接続部が設けられた下面と、上方に面して前記取付部が設けられた上面とを含む外側面を有することを特徴とする請求項１に記載の作業機械の配管用具。
【請求項３】
前記取付部は、前記本体部の上面に立設された取付片を有し、この取付片は、前記フロアプレートの後端面に当接した状態で当該フロアプレートに取付可能に構成されていることを特徴とする請求項２に記載の作業機械の配管用具。
【請求項４】
前記取付部は、前記特定方向が前記アッパーフレームの左右方向と略平行した姿勢で前記本体部をフロアプレートに取り付けるように、当該フロアプレートに取り付け可能に構成されていることを特徴とする請求項１〜３の何れか１項に記載の作業機械の配管用具。
【請求項５】
アッパーフレームの前部上方に設けられて運転室の床面を構成するフロアプレートを有するフロア構成部材であって、
請求項１〜４の何れか１項に記載の配管用具を備え、
この配管用具の前記第二接続部の少なくとも一部が、前記フロアプレートの後端面よりも後方に配置されていることを特徴とする作業機械のフロア構成部材。
【請求項６】
前記配管用具の前記第二接続部は、前記本体部から突出して形成され、少なくともその先端部が前記フロアプレートの後端面よりも後方に配置されていることを特徴とする請求項５に記載の作業機械のフロア構成部材。
【請求項７】
前記配管用具の取付部は、前記フロアプレートの後端面に取り付けられていることを特徴とする請求項５又は６に記載の作業機械のフロア構成部材。
【請求項８】
アッパーフレームを有する作業機械であって、
請求項４〜６の何れか１項に記載のフロア構成部材と、
このフロア構成部材のフロアプレートの上方に設けられた第一油圧機器と、
前記フロアプレートの後方で前記アッパーフレーム上に設けられた第二油圧機器と、
前記第一油圧機器から延び、前記フロア構成部材の配管用具に接続される第一配管と、
前記第二油圧機器から延び、前記フロア構成部材の配管用具に接続される第二配管とを備え、
これら第一配管と第二配管とが前記配管用具の連通流路を介して相互に連通するとともに、これら第一配管と第二配管との間で流通する作動油の圧力が前記配管用具の圧力センサにより検出されることを特徴とする作業機械。
【請求項９】
前記アッパーフレームには、前記配管用具の下方位置で当該アッパーフレームを上下に貫通する貫通孔が形成されていることを特徴とする請求項８に記載の作業機械。
【請求項１０】
前記配管用具の本体部には、前記第二接続部の少なくとも一部が下方に向けて形成されていることを特徴とする請求項８に記載の作業機械。
【請求項１１】
前記アッパーフレームには、上方に突出してその上面で前記フロアプレートの下面を支持する支持突起が設けられ、この支持突起は、左右方向に延びるとともに前記フロアプレートの後方の縁部を支持するように構成され、前記配管用具は、フロアプレートの後端面に取り付けられていることを特徴とする請求項８〜１０の何れか１項に記載の作業機械。
【請求項１２】
アッパーフレームと、このアッパーフレームの前部上方に設けられて運転室の床面を構成するフロアプレートと、このフロアプレートの上方に設けられた第一油圧機器と、前記フロアプレートの後方で前記アッパーフレーム上に設けられた第二油圧機器と、これら第一油圧機器と第二油圧機器とを連結する複数の油圧配管とを有する作業機械において、請求項１〜４の何れか１項に記載の配管用具によって前記油圧配管の途中部に圧力センサを取り付けるための配管方法であって、
前記アッパーフレームに装着前の状態のフロアプレートに前記配管用具の取付部を取り付ける取付工程と、
前記本体部の各第一接続部に対し、前記第一油圧機器から延びる前記各油圧配管としての複数の第一配管の端末をそれぞれ接続する接続工程と、
前記取付工程及び接続工程の後に前記フロアプレートを前記アッパーフレームの所定位置に装着する装着工程とを含むことを特徴とする作業機械の配管方法。
【発明の詳細な説明】
【技術分野】
【０００１】
本発明は、油圧ショベル等の作業機械に装備したパイロット回路に使用される配管用具に関するものである。
【背景技術】
【０００２】
従来から、アッパーフレームと、このアッパーフレームの前部上方に設けられて運転室の床面を構成するフロアプレートと、このフロアプレートの上部に設けられた油圧機器と、前記フロアプレートの後部でアッパーフレーム上に設けられた油圧機器とを連結する油圧配管とを備えた作業機械が知られている。
【０００３】
この種の作業機械には、前記油圧配管の途中部に圧力センサを設け、この圧力センサによって油圧配管内の作動油の圧力を検出するようにしたもの（例えば、特許文献１）が知られている。
【０００４】
具体的に、特許文献１の作業機械は、アッパーフレームの上方に保持されるリモコンバルブ（油圧機器）と、このリモコンバルブの右側後方位置でアッパーフレーム上に設けられたコントロールバルブ（油圧機器）と、これらリモコンバルブとコントロールバルブとを連結するパイロット圧用油圧配管とを備えている。
【０００５】
前記パイロット圧用油圧配管は、リモコンバルブに接続された複数のパイロットホースと、コントロールバルブに接続された複数のパイロットホースと、これらリモコンバルブ側のパイロットホースとコントロールバルブ側のパイロットホースとの間に設けられたポートブロックとを備え、このポートブロックに複数の圧力センサが取り付けられている。
【０００６】
前記ポートブロックは、断面四角形の棒状に形成されている。
【０００７】
このポートブロックは、その長手方向と直交する一の側面にリモコンバルブ側の各パイロットホースを前記長手方向に並べて接続可能で、他の側面にコントロールバルブ側の各パイロットホースを前記長手方向に並べて接続可能で、さらに別の側面に前記各圧力センサを取り付け可能に構成されている。
【０００８】
また、ポートブロックには、リモコンバルブ側のパイロットホースとコントロールバルブ側のパイロットホースとをそれぞれ一対一で連通させる複数の穴が形成されている。これらの穴の内側のパイロット圧が前記各油圧センサにより検出される。
【０００９】
そして、前記特許文献１には、ポートブロックをアッパーフレーム上に立設し、その前側面にリモコンバルブ側の各パイロットホースを接続し、その右側面にコントロールバルブ側の各パイロットホースを接続し、その左側面に各油圧センサを取り付けた構成が開示されている（特許文献１の図１参照）。
【００１０】
また、特許文献１には、ポートブロックをアッパーフレーム上に左右方向に横倒しにして固定し、その前側面にリモコンバルブ側の各パイロットホースを接続し、その後側面にコントロールバルブ側の各パイロットホースを接続し、その上側面に各油圧センサを取り付けた構成も開示されている（特許文献１の図４参照）。
【特許文献１】実開平７−２０３４２号公報
【発明の開示】
【発明が解決しようとする課題】
【００１１】
しかしながら、前記特許文献１では、アッパーフレーム上に固定されたポートブロックに対し、リモコンバルブ側の各パイロットホースを接続する構成とされているので、これらポートブロックとパイロットホースとの接続作業を、アッパーフレーム上の限られたスペースで行う必要があり、作業性が悪かった。
【００１２】
さらに、ポートブロックに設けられた圧力センサは、電子部品を有していることから、アッパーフレーム上に雨水等が浸入した場合に、当該雨水等と前記圧力センサとの接触を如何に抑制するかも課題となる。
【００１３】
本発明は、上記課題に鑑みてなされたものであり、油圧配管を接続する際の作業性の向上及び各油圧センサの保護を図ることができる配管用具、これを備えたフロア構成部材、これを備えた作業機械及び作業機械の配管方法を提供することを目的としている。
【課題を解決するための手段】
【００１４】
上記課題を解決するために、本発明は、アッパーフレームと、このアッパーフレームの前部上方に設けられて運転室の床面を構成するフロアプレートと、このフロアプレートの上方に設けられた第一油圧機器と、前記フロアプレートの後方で前記アッパーフレーム上に設けられた第二油圧機器と、これら第一油圧機器と第二油圧機器とを連結する複数の油圧配管とを有する作業機械に設けられ、前記各油圧配管の途中部に圧力センサを取り付けるための配管用具であって、特定方向に延びる本体部と、この本体部に設けられた複数の圧力センサと、前記本体部に設けられて前記フロアプレートに取り付けられることにより、前記本体部を前記フロアプレートから垂下した姿勢、かつ、前記特定方向がフロアプレートに略平行した姿勢にする取付部とを備え、前記本体部には、前記取付部がフロアプレートに取り付けられた状態で、前記第一油圧機器から延びる前記油圧配管としての複数の第一配管をそれぞれ前方に向けながら前記特定方向に並べて接続可能な複数の第一接続部と、前記第二油圧機器から延びる前記油圧配管としての複数の第二配管をそれぞれ後方に向けながら前記特定方向に並べて接続可能な複数の第二接続部と、前記各圧力センサをそれぞれ下方に向けながら前記特定方向に並べて接続可能な第三接続部と、これら第一接続部、第二接続部及び第三接続部を一組とする各組について当該第一接続部、第二接続部及び第三接続部にそれぞれ接続された前記第一配管、第二配管及び圧力センサを連通可能な連通流路とが形成され、前記圧力センサは、この連通流路を介して各第一配管及び第二配管内を流通する作動油の圧力を検出することを特徴とする作業機械の配管用具を提供する。
【００１５】
本発明に係る配管用具によれば、第一配管と第二配管とを連通させる配管用具をフロアプレートに取り付けることができるので、これらフロアプレート、第一配管及び配管用具を先に組んでからアッパーフレームに装着することが可能となる。
【００１６】
つまり、前記配管用具を用いることにより、フロアプレートとアッパーフレームとの装着前の段階において、フロアプレートに配管用具を取り付けるとともに、この配管用具に対し、完成後にフロアプレートの上方に配置される第一油圧機器から延びる第一配管を接続し、これらをまとめてアッパーフレームに装着するという作業工程を採用することが可能となる。
【００１７】
したがって、本発明に係る配管用具によれば、アッパーフレーム上に固定されたポートブロックにリモコンバルブ側のパイロットホースを接続する作業を要する従来の工法と異なり、フロアプレート、第一配管及び配管用具を先に組んでからアッパーフレームに装着することできるので、第一配管の接続作業の作業性を向上することができる。
【００１８】
さらに、本発明に係る配管用具は、フロアプレートに取り付けられた状態において、本体部の下方に圧力センサを接続することができるので、この取り付け状態においては、本体部が圧力センサを上から覆うことにより、上方から雨水等が浸入した場合であっても当該雨水等から圧力センサを保護することができる。
【００１９】
また、前記取り付け状態においては、圧力センサが本体部から下方に向いた姿勢とされるので、仮に、圧力センサに雨水等が付着した場合であっても、当該雨水等が圧力センサから滴下して、当該圧力センサと雨水等との接触時間を短時間に抑えることができる。
【００２０】
前記本体部の形状を限定する趣旨ではないが、前記本体部は、前記フロアプレートに取り付けられた状態において、前方に面して前記各第一接続部が設けられた前面と、後方に面して前記各第二接続部が設けられた後面と、下方に面して前記各第三接続部が設けられた下面と、上方に面して前記取付部が設けられた上面とを含む外側面を有することが好ましい。
【００２１】
このようにすれば、第一配管、第二配管、圧力センサ及び取付部の接続対象となる位置を本体部の各外側面ごとに分けて配置することができるので、これら第一配管、第二配管、圧力センサ及び取付部を接続する際の作業性をより向上することができる。
【００２２】
前記取付部を本体部の上面に設けた場合、前記取付部は、前記本体部の上面に立設された取付片を有し、この取付片は、前記フロアプレートの後端面に当接した状態で当該フロアプレートに取付可能に構成されていることが好ましい。
【００２３】
このようにすれば、配管用具と第二油圧機器との距離（前後位置）を近づけることができるので、これら配管用具と第二油圧機器との間における第二配管の接続作業をより効率よく行なうことができる。
【００２４】
前記各第一配管を前方に、各第二配管を後方に、各油圧センサを下方にそれぞれ向けていれば、フロアプレートに対する本体部の取り付け姿勢について特に限定されることはないが、前記取付部は、前記特定方向が前記アッパーフレームの左右方向と略平行した姿勢で前記本体部をフロアプレートに取り付けるように、当該フロアプレートに取り付け可能に構成されていることが好ましい。
【００２５】
この構成によれば、本体部の長手方向を左右方向に向けた姿勢で取り付けることができるので、当該本体部に接続される各第一配管及び各第二配管ごとに第一油圧機器及び第二油圧機器までの距離（前後位置）を略均一にすることにより、当該各第一配管同士及び第二配管同士の長さの共通化を図ることができる。
【００２６】
また、本発明は、アッパーフレームの前部上方に設けられて運転室の床面を構成するフロアプレートを有するフロア構成部材であって、前記配管用具を備え、この配管用具の前記第二接続部の少なくとも一部が、前記フロアプレートの後端面よりも後方に配置されていることを特徴とする作業機械のフロア構成部材を提供する。
【００２７】
本発明に係るフロア構成部材によれば、第二接続部の少なくとも一部がフロアプレートの後端面よりも後方に配置されているので、このフロアプレートをアッパーフレーム上に取り付けた際には、第二接続部がフロアプレートの下に隠れることなく、上方に開放されることになり、当該第二接続部に対し第二配管を接続するための作業スペースを上方に広く確保することができる。
【００２８】
したがって、本発明に係るフロア構成部材によれば、第二配管の接続を容易にして、より作業性を向上することができる。
【００２９】
具体的に、前記配管用具の前記第二接続部は、前記本体部から突出して形成され、少なくともその先端部が前記フロアプレートの後端面よりも後方に配置されるように構成することができる。
【００３０】
このようにすれば、本体部をフロアプレートの下方に配置して、当該フロアプレートによって圧力センサへの雨水等の浸入を有効に阻止しながら、第二接続部をフロアプレートの後方に突出させて上述した作業性の向上を図ることができる。
【００３１】
さらに、前記配管用具をフロアプレートの後端面に取り付けることにより、前記第二接続部の少なくとも一部をフロアプレートの後方に配置することも可能である。
【００３２】
このようにすれば、配管用具と第二油圧機器との距離（前後位置）を近づけることができるので、これら配管用具と第二油圧機器との間における第二配管の接続作業をより効率よく行うことができる。
【００３３】
さらに、本発明は、アッパーフレームを有する作業機械であって、請求項４〜６の何れか１項に記載のフロア構成部材と、このフロア構成部材のフロアプレートの上方に設けられた第一油圧機器と、前記フロアプレートの後方で前記アッパーフレーム上に設けられた第二油圧機器と、前記第一油圧機器から延び、前記フロア構成部材の配管用具に接続される第一配管と、前記第二油圧機器から延び、前記フロア構成部材の配管用具に接続される第二配管とを備え、これら第一配管と第二配管とが前記配管用具の連通流路を介して相互に連通するとともに、これら第一配管と第二配管との間で流通する作動油の圧力が前記配管用具の圧力センサにより検出されることを特徴とする作業機械を提供する。
【００３４】
前記作業機械において、前記アッパーフレームには、前記配管用具の下方位置で当該アッパーフレームを上下に貫通する貫通孔が形成されていることが好ましい。
【００３５】
この構成によれば、配管用具の下方位置に貫通孔が形成されているので、この貫通孔を通してアッパーフレームの下方から圧力センサのメンテナンスを行うことができる。
【００３６】
さらに、前記第二接続部の少なくとも一部を下方に向けて形成することにより、前記貫通孔を通して第二配管の着脱作業を行うことも可能となる。
【００３７】
前記作業機械において、前前記アッパーフレームには、上方に突出してその上面で前記フロアプレートの下面を支持する支持突起が設けられ、この支持突起は、左右方向に延びるとともに前記フロアプレートの後方の縁部を支持するように構成され、前記配管用具は、フロアプレートの後端面に取り付けられていることが好ましい。
【００３８】
このようにすれば、支持突起によってフロアプレートの後縁部を確実に支持しながら、この支持突起と干渉することなくフロアプレートの後端面に配管用具を取り付けることができる。
【００３９】
したがって、この構成によれば、支持突起によりフロアプレートを確実に支持しながら配管用具により配管接続作業の作業性を向上することができる。
【００４０】
また、本発明は、アッパーフレームと、このアッパーフレームの前部上方に設けられて運転室の床面を構成するフロアプレートと、このフロアプレートの上方に設けられた第一油圧機器と、前記フロアプレートの後方で前記アッパーフレーム上に設けられた第二油圧機器と、これら第一油圧機器と第二油圧機器とを連結する複数の油圧配管とを有する作業機械において、請求項１〜４の何れか１項に記載の配管用具によって前記油圧配管の途中部に圧力センサを取り付けるための配管方法であって、前記アッパーフレームに装着前の状態のフロアプレートに前記配管用具の取付部を取り付ける取付工程と、前記本体部の各第一接続部に対し、前記第一油圧機器から延びる前記各油圧配管としての複数の第一配管の端末をそれぞれ接続する接続工程と、前記取付工程及び接続工程の後に前記フロアプレートを前記アッパーフレームの所定位置に装着する装着工程とを含むことを特徴とする作業機械の配管方法を提供する。
【００４１】
本発明に係る作業機械の配管方法によれば、アッパーフレームに装着前の状態のフロアプレートに対し、本体部を取り付けるとともに、この本体部に対し各第一配管を接続することにより、フロアプレート、配管用具及び第一配管を一塊として製造することができる。
【００４２】
したがって、本発明に係る配管方法によれば、フロアプレート、第一配管及び配管用具を先に組んでからこれらをアッパーフレームに装着するだけで、アッパーフレーム上に第一配管をセットすることができるので、第一配管の接続作業の作業性を向上することができる。
【発明の効果】
【００４３】
本発明によれば、パイロットホースを接続する際の作業性の向上及び各油圧センサの保護を図ることができる。
【発明を実施するための最良の形態】
【００４４】
以下、本発明の好ましい実施形態について図面を参照して説明する。
【００４５】
図１は、本発明の実施形態に係る油圧ショベルの上部旋回体の一部を省略して示す平面図である。図２は、図１の旋回フレームの要部を拡大して示す側面図である。図３は、図１の一部を拡大して示す平面図である。
【００４６】
図１〜図３を参照して、作業機械の一例としての油圧ショベルは、自走式の走行体（図示せず）と、この走行体の上部に旋回可能に搭載された旋回フレーム（アッパーフレーム）１を含む上部旋回体と、前記旋回フレーム１に設けられた起伏軸２回りに起伏自在なアタッチメント（図示せず）と、前記走行体を走行させる油圧モータやアタッチメントを起伏させる油圧シリンダ等の油圧アクチュエータ（図示せず）とを備えている。なお、旋回フレーム１について起伏軸２が設けられている側を前方とし、この起伏軸２の軸線方向を左右方向として以下説明する。
【００４７】
上部旋回体は、前記旋回フレーム１と、この旋回フレーム１の前部上方に設けられて運転室Ｓ（図２参照）の床面を構成するフロアプレート３と、前記運転室Ｓ内に設けられた操作部４と、この操作部４の後方位置で前記旋回フレーム１上に設けられたコントロールバルブ（第二油圧機器）５と、操作部４とコントロールバルブ５とを連結するパイロット配管６（図２参照）とを備えている。
【００４８】
旋回フレーム１には、後述するセンサブロック１８の下方位置で当該旋回フレーム１を上下に貫通する貫通孔１ａ（図１参照）が形成されている。この貫通孔１ａを通して旋回フレーム１の下方から後述するセンサブロック１８をメンテナンスすることが可能とされている。
【００４９】
旋回フレーム１上には、左右方向に延びるとともに上方へ突出する前後一対の梁部７及び梁部（支持突起）８が設けられている。これら梁部７、８は、旋回フレーム１の前部左側位置に設けられている。
【００５０】
また、旋回フレーム１の前端部には、左右一対のブラケット９及びブラケット１０が設けられている。これらブラケット９、１０と前記梁部７、８との上面高さは略同一とされている。
【００５１】
フロアプレート３は、前記各梁部８及びブラケット９、１０上に保持されている。具体的に、前記各梁部８及びブラケット９．１０の上面には、それぞれ緩衝装置１１及び緩衝装置１２が設けられ、これら緩衝装置１１、１２上にフロアプレート３が取り付けられている。
【００５２】
操作部４は、傾動操作可能な操作レバー１４と、この操作レバー１４の傾動に応じて操作されるリモコン弁（第一油圧機器）１５とを備えている。リモコン弁１５は、図略のパイロットポンプからの作動油を後述するパイロット配管６を介してコントロールバルブ５に供給する状態と、コントロールバルブ５からの戻り油を後述するパイロット配管６を介して図略のタンクに回収する状態との間で切換操作可能に構成されている。
【００５３】
コントロールバルブ５は、内部に複数の切換弁（図示せず）を有している。これら切換弁は、それぞれ前記油圧アクチュエータに対する作動油の給排を調整可能に構成され、それぞれのパイロットポートには後述するパイロット配管６が接続されている。したがって、前記操作部４の傾動に応じてコントロールバルブ５の切換弁を操作することにより前記油圧アクチュエータの作動を制御することができる。
【００５４】
パイロット配管６は、前記リモコン弁１５に接続された複数の第一ホース（第一配管）１６と、前記コントロールバルブ５に接続された複数の第二ホース（第二配管）１７と、これら第一ホース１６と第二ホース１７とを連結するセンサブロック（配管用具）１８と、このセンサブロック１８に装着された圧力センサ１９とを備えている。
【００５５】
各第一ホース１６は、図２に示すように、前方の端部が前記リモコン弁１５に接続されているとともに、途中部がフロアプレート３を上下に貫通する孔（図示せず）に挿通し、後方の端部がセンサブロック１８に接続されている。
【００５６】
各第二ホース１７は、図３に示すように、前方の端部がセンサブロック１８に接続されている一方、後方の端部が前記コントロールバルブ５に接続されている。
【００５７】
図４は、図２のセンサブロックを拡大して示す側面図である。図５は、図４のセンサブロックの正面図である。図６は、図５のVI−VI線断面図である。
【００５８】
図４〜図６を参照して、センサブロック１８は、フロアプレート３への取り付け状態において左右方向に延びるブロック本体（本体部）２０と、このブロック本体２０をフロアプレート３の後端面３ａに取り付ける取付部２１とを備えている。
【００５９】
ブロック本体２０は、断面略正方形に形成され、その４の外側面２２〜２５が前後上下方向にそれぞれ向けた状態でフロアプレート３に取り付けられている。なお、以下の説明では、外側面２２〜２５のうち、前方に向けた面を前面２２とし、後方へ向けた面を後面２３とし、下方へ向けた面を下面２４とし、上方へ向けた面を上面２５として説明する。
【００６０】
ブロック本体２０には、前面２２から前方へ突出する複数の第一接続部２６と、後面２３から後方へ突出する複数の第二接続部２７と、下面２４から下方へ突出する複数の第三接続部２８と、これら接続部２６〜２８を一対一で連通させる複数の連通流路２９とが設けられている。
【００６１】
各第一接続部２６は、図示は省略するが、左右方向に一列に並んで形成されている。
【００６２】
各第二接続部２７は、図５に示すように、左右方向に一列に並び、各々が前記各第一接続部２６のそれぞれと同じ左右位置に配置されている。また、第二接続部２７は、その先端部が下方に傾斜した傾斜部２７ａとされている。
【００６３】
各第三接続部２８は、左右方向に一列に並び、各々が前記各第一接続部２６及び各第二接続部２７のそれぞれと同じ左右位置に配置されている。
【００６４】
連通流路２９は、図６に示すように、第一接続部２６、第二接続部２７及び第三接続部２８の一つずつを一組として各組のそれぞれについて接続部２６〜２８を連通するように形成されたＴ字型の孔である。
【００６５】
この連通流路２９の端末はそれぞれ第一接続部２６、第二接続部２７及び第三接続部２８の端末で開口する第一開口２９ａ、第二開口２９ｂ及び第三開口２９ｃとされている。
【００６６】
そして、このブロック本体２０には、第一ホース１６、第二ホース１７及び圧力センサ１９が接続される。具体的に、前記第一接続部２６には第一ホース１６が、第二接続部２７には第二ホース１７が、第三接続部２８には圧力センサ１９が接続されている。
【００６７】
したがって、第一ホース１６及び第二ホース１７内に作動油が流通すると、この作動油は連通流路２９を介して圧力センサ１９にも連通することになるため、当該圧力センサ１９によって作動油の圧力（すなわち、パイロット圧）が検出されることになる。
【００６８】
本実施形態において、取付部２１は、前記ブロック本体２０の上面２５に設けられた３個のアングル３０を備えている。これらアングル３０の取付片３０ａには、それぞれ前後に貫通する取付穴３０ｂが形成され、これら取付穴３０ｂに挿通するボルトＢ１（図４参照）によって、ブロック本体２０は前記フロアプレート３から垂下するように当該フロアプレート３の後端面３ａに取り付けられている。
【００６９】
以下、前記センサブロック１８を用いて第一ホース１６及び第二ホース１７を連結する際の手順について説明する。
【００７０】
まず、旋回フレーム１に取り付ける前の段階にあるフロアプレート３を、旋回フレーム１に取り付け後に下面となる面を上に向けるように保持する。つまり、フロアプレート３を組み付け後の状態と表裏反転した姿勢とする。
【００７１】
この状態で、フロアプレート３の後端面３ａに対し、前記取付部２１によってブロック本体２０を取り付ける（取付工程）。
【００７２】
次いで、ブロック本体２０の各第一接続部２６に対し、前記フロアプレート３を挿通する各第一ホース１６の端末をそれぞれ接続する（接続工程）。このように、フロアプレート３の下面となる面を上に向けた状態で、各第一ホース１６を各第一接続部２６に接続することができるので、フロアプレート３を旋回フレーム１に取り付けた後の状態で各第一ホース１６を第一接続部２６に接続する場合と異なり、フロアプレート３と旋回フレーム１との間の狭いスペースでの作業を避けることができる。
【００７３】
そして、フロアプレート３を表裏反転させるとともに、このフロアプレート３を旋回フレーム１の緩衝装置１１、１２上に装着する（装着工程）。これにより、各第一ホース１６の途中部がフロアプレート３と旋回フレーム１との間に配索される。
【００７４】
フロアプレート３を旋回フレーム１に装着すると、当該フロアプレート３の後端面に取り付けられたセンサブロック１８の第二接続部２７は、フロアプレート３よりも後方に配置されることになる（図４参照）。
【００７５】
したがって、この第二接続部２７に対し第二ホース１７を接続する際には、フロアプレート３が配設されていない位置に配置された第二接続部２７に対し第二ホース１７を接続することができる。
【００７６】
以上説明したように、前記実施形態によれば、第一ホース１６と第二ホース１７とを連通させるセンサブロック１８をフロアプレート３に取り付けることができるので、これらフロアプレート３、第一ホース１６及びセンサブロック１８を先に組んでから旋回フレーム１に装着することが可能となる。
【００７７】
つまり、前記センサブロック１８を用いることにより、フロアプレート３と旋回フレーム１との装着前の段階において、フロアプレート３にセンサブロック１８を取り付けるとともに、このセンサブロック１８に対し、完成後にフロアプレート３の上方に配置されるリモコン弁１５から延びる第一ホース１６を接続し、これらをまとめて旋回フレーム１に装着するという作業工程を採用することが可能となる。
【００７８】
したがって、前記センサブロック１８によれば、アッパーフレーム上に固定されたポートブロックにリモコンバルブ側のパイロットホースを接続する作業を要する従来の工法と異なり、フロアプレート３、第一ホース１６及びセンサブロック１８を先に組んでから旋回フレーム１に装着することができるので、第一ホース１６の接続作業の作業性を向上することができる。
【００７９】
さらに、前記センサブロック１８は、フロアプレート３に取り付けられた状態において、ブロック本体２０の下方に圧力センサ１９を接続することができるので、この取り付け状態においては、ブロック本体２０が圧力センサ１９の上方に配置されて傘として機能することになり、上方から雨水等が浸入した場合であっても当該雨水等から圧力センサ１９を保護することができる。
【００８０】
また、前記取り付け状態においては、圧力センサ１９がブロック本体２０から下方に向いた姿勢とされるので、仮に、圧力センサ１９に雨水等が付着した場合であっても、当該雨水等が圧力センサ１９から滴下して、当該圧力センサ１９と雨水等との接触時間を短時間に抑えることができる。
【００８１】
また、前記実施形態に係るセンサブロック１８によれば、前面２２に第一接続部２６が、後面２３に第二接続部２７が、下面２４に第三接続部２８が、上面２５に取付部２１が設けられているので、第一ホース１６、第二ホース１７、圧力センサ１９及び取付部２１の接続対象となる位置をブロック本体２０の外側面２２〜２５ごとに大別することができるので、これら第一ホース１６、第二ホース１７、圧力センサ１９及び取付部２１を接続する際の作業性を向上することができる。
【００８２】
なお、前記実施形態では、断面四角形のブロック本体２０を例示したが、ブロック本体２０の断面形状は、四角形に限定されることはなく、少なくとも第一接続部２６を前方に、第二接続部２７を後方に、第三接続部２８を下方に向けた状態でフロアプレート３に取り付け可能となるように、各接続部２６〜２８が配設されていれば、円形、多角形等、特に限定されることはない。
【００８３】
前記実施形態のように、取付片３０ａを備えたセンサブロック１８によれば、センサブロック１８とコントロールバルブ５との距離（前後位置）を近づけることができるので、これらセンサブロック１８とコントロールバルブ５との間における第二ホース１７の接続作業をより効率よく行うことができる。
【００８４】
また、前記実施形態のように、長手方向を左右方向に沿わせるように、ブロック本体２０をフロアプレート３に取り付け可能となるように当該フロアプレート３に取り付け可能な取付部２１を備えたセンサブロック１８によれば、ブロック本体２０に接続される各第一ホース１６及び各第二ホース１７ごとにリモコン弁１５及びコントロールバルブ５までの距離（前後位置）を略均一にすることにより、当該各第一ホース１６同士及び第二ホース１７同士の長さの共通化を図ることができる。
【００８５】
また、前記フロアプレート３とセンサブロック１８とを備えたフロア構成部材によれば、第二接続部２７がフロアプレート３の後端面３ａよりも後方に配置されているので、このフロアプレート３を旋回フレーム１上に取り付けた際には、第二接続部２７がフロアプレート３の下に隠れることなく、上方に開放されることになり、当該第二接続部２７に対し第二ホース１７を接続するための作業スペースを上方に広く確保することができる。
【００８６】
したがって、前記フロア構成部材によれば、第二ホース１７の接続を容易にして、より作業性を向上することができる。
【００８７】
なお、前記実施形態では、センサブロック１８をフロアプレート３の後端面３ａに取り付けた構成について説明したが、センサブロック１８をフロアプレート３の下面に取り付けるとともに第二接続部２７の少なくとも先端部がフロアプレート３から後方に突出するように配置することによっても、上述した第二ホース１７の接続作業の効率化を図ることができる。
【００８８】
すなわち、センサブロック１８の取付位置にかかわらず、第二接続部２７の少なくとも一部がフロアプレート３の後縁部よりも後方に配置されていればよい。
【００８９】
そして、前記実施形態に係る油圧ショベルによれば、センサブロック１８の下方位置に貫通孔１ａ（図１参照）が形成されているので、この貫通孔１ａを通して旋回フレーム１の下方からセンサブロック１８のメンテナンスを行うことができる。
【００９０】
特に、前記実施形態に係る油圧ショベルでは、第二接続部２７に下方に延びる傾斜部２７ａが形成されているので、前記貫通孔１ａを通して第二接続部２７と第二ホース１７との着脱を行うことが可能となる。
【００９１】
また、前記実施形態に係る油圧ショベルのように、フロアプレート３の後縁部の下面を支持する梁部８が旋回フレーム１に設けられているとともに、センサブロック１８がフロアプレート３の後端面３ａに取り付けられた構成によれば、梁部８によってフロアプレート３の後縁部を確実に支持しながら、この梁部８と干渉することなくフロアプレート３の後端面３ａにセンサブロック１８を取り付けることができる。
【００９２】
したがって、この構成によれば、梁部８によりフロアプレート３を確実に支持しながらセンサブロック１８により配管接続作業の作業性を向上することができる。
【００９３】
そして、前記実施形態に係る油圧ショベルの配管方法によれば、旋回フレーム１に装着前の状態のフロアプレート３に対し、ブロック本体２０を取り付けるとともに、このブロック本体２０に対し各第一ホース１６を接続することにより、フロアプレート３、センサブロック１８及び第一ホース１６を一塊として製造することができる。
【００９４】
したがって、前記配管方法によれば、フロアプレート３、第一ホース１６及びセンサブロック１８を先に組んでからこれらを旋回フレーム１に装着するだけで、旋回フレーム１上に第一ホース１６をセットすることができるので、第一ホース１６の接続作業の作業性を向上することができる。
【図面の簡単な説明】
【００９５】
【図１】本発明の実施形態に係る油圧ショベルの上部旋回体の一部を省略して示す平面図である。
【図２】図１の旋回フレームの要部を拡大して示す側面図である。
【図３】図１の一部を拡大して示す平面図である。
【図４】図２のセンサブロックを拡大して示す側面図である。
【図５】図４のセンサブロックの正面図である。
【図６】図５のVI−VI線断面図である。
【符号の説明】
【００９６】
Ｓ    運転室
１    旋回フレーム（アッパーフレーム）
１ａ    貫通孔
３    フロアプレート
３ａ    後端面
５    コントロールバルブ（第二油圧機器）
８    梁部（支持突起）
１５    リモコン弁（第一油圧機器）
１６    第一ホース（第一配管）
１７    第二ホース（第二配管）
１８    センサブロック（配管用具）
１９    圧力センサ
２０    ブロック本体（本体部）
２１    取付部
２２    前面
２３    後面
２４    下面
２５    上面
２６    第一接続部
２７    第二接続部
２７ａ    傾斜部
２８    第三接続部
２９    連通流路
３０    アングル
【図１】
0004702150.tif 000002
【図２】
0004702150.tif 000003
【図３】
0004702150.tif 000004
【図４】
0004702150.tif 000005
【図５】
0004702150.tif 000006
【図６】
0004702150.tif 000007